(57)【要約】      （修正有）【課題】点眼を適時、適正に行うことを可能とする点眼薬ケースを提供する。【解決手段】点眼薬ケース本体２に、目薬９を収納する収納部４と、表示部５を設け、表示部５には、収納部４に収納すべき目薬９を表示した目薬表示欄６と、収納部４に収納された目薬９を点眼すべき時間が表示された点眼時間表示欄２２と、点眼時間表示欄２２及び目薬表示欄毎６に対応して設けられ、目薬９の点眼の要否を表示した目薬指示欄２４が設けられる。【選択図】 図１
0003170772.tif 000002
【実用新案登録請求の範囲】
【請求項１】
点眼薬ケース本体に、目薬を収納する収納部と、表示部を設け、
前記表示部には、前記収納部に収納すべき目薬を表示した目薬表示欄と、
前記収納部に収納された目薬を点眼すべき時間が表示された点眼時間表示欄と、
前記点眼時間表示欄及び前記目薬表示欄毎に対応して設けられ、目薬の点眼の要否を表示した目薬指示欄が設けられたことを特徴とする点眼薬ケース。
【請求項２】
前記収納部は、収納する目薬の数に対応して、目薬の収納数と同数を設けることを特徴とする請求項１に記載の点眼薬ケース。
【請求項３】
前記目薬表示欄又は／及び前記収納部に対応させて、前記目薬表示欄に表示された目薬を、何番目に点眼するかを表示した点眼順番表示欄を設けたことを特徴とする請求項１又は２に記載の点眼薬ケース。
【請求項４】
前記点眼薬ケースは片眼専用であり、前記目薬指示欄には、片眼に対する点眼の指示のみが表示されていることを特徴とする請求項１から３のうちいずれか１項に記載の点眼薬ケース。
【請求項５】
前記目薬表示欄は、対応する前記収納部に収納する目薬の蓋に付された色と同一色の表示を施したことを特徴とする請求項１から４のうちいずれか１項に記載の点眼薬ケース。
【請求項６】
前記点眼薬ケース本体の上部開口部を開閉可能な蓋体を備えたことを特徴とする請求項１から５のうちいずれか１項に記載の点眼薬ケース。
【請求項７】
前記蓋体に目薬を収納する補助収納部を設けたことを特徴とする請求項６に記載の点眼薬ケース。
【考案の詳細な説明】
【技術分野】
【０００１】
本考案は、複数の点眼薬を収納する点眼薬ケースに関し、特に１人の患者が使用する複数種類の点眼薬を収納する点眼薬ケースに関する。
【背景技術】
【０００２】
白内障や緑内障等の眼科治療において、複数種類の点眼薬の点眼による治療が行われている。そして、このような眼科治療においては、医師の指示通りに、夫々の点眼薬を１日に所定回数、所定時間に点眼することが重要である。
【０００３】
このように、これらの眼科治療においては、複数種類の点眼薬を、１日の間に複数回、所定の時間に点眼する必要があり、しかも、点眼薬の種類によって、１日の点眼回数や点眼すべき時が異なっていることもある。
【０００４】
しかし、複数種類の点眼薬を様々なパターンで点眼することを、患者が正確に記憶し、実行することは容易ではなく、結果として適時、適正な点眼が行われず、適正な治療が行われないという結果となってしまうことがあった。
【０００５】
そこで、適時、適正な点眼を行えるように、例えば、点眼時刻を表示する点眼時刻表示部と、目薬の種類を表示する目薬表示部と、点眼時刻及び目薬の種類に対応して、即ち各点眼時刻毎に目薬の種類に対応して、複数の目薬収納部を設けると共に、点眼が不要な目薬の所定の時刻に対応する目薬収納部には収容部を閉鎖する閉鎖体が挿入されている点眼補助具が提案されている（例えば、特許文献１参照。）。
【先行技術文献】
【特許文献】
【０００６】
【特許文献１】特開２０１１−２４８４１号公報
【考案の概要】
【考案が解決しようとする課題】
【０００７】
しかし、上記点眼補助具は、患者が、点眼が終了した目薬を、次回に点眼すべき時刻に対応する目薬収納部にその都度置かなければならず、点眼し終わった目薬を戻すときにとても神経を使い、点眼補助具の使用が煩雑であり、患者の負担となっていた。又、目薬を誤った場所に置いた場合には、次の点眼或いはその後の点眼が適時、適正に行われないという問題点があった。
【０００８】
そこで、本考案は、上記従来技術の問題点を解決し、患者の負担とならず、使用が容易な点眼薬ケースを提供することにより、誰でもが、確実に点眼を適時、適正に行うことを可能とすることを目的とする。
【課題を解決するための手段】
【０００９】
上記課題を解決するための本考案は、点眼薬ケース本体に、目薬を収納する収納部と、表示部を設け、前記表示部には、前記収納部に収納すべき目薬を表示した目薬表示欄と、前記収納部に収納された目薬を点眼すべき時間が表示された点眼時間表示欄と、前記点眼時間表示欄及び前記目薬表示欄毎に対応して設けられ、目薬の点眼の要否を表示した目薬指示欄が設けられたことを特徴とする点眼薬ケースである。
【００１０】
又、上記点眼薬ケースにおいて、前記収納部は、収納する目薬の数に対応して、目薬の収納数と同数を設けることを特徴とする点眼薬ケースである。
【００１１】
又、上記点眼薬ケースにおいて、前記目薬表示欄又は／及び前記収納部に対応させて、前記目薬表示欄に表示された目薬を、何番目に点眼するかを表示した点眼順番表示欄を設けたことを特徴とする点眼薬ケースである。
【００１２】
又、上記点眼薬ケースにおいて、前記点眼薬ケースは片眼専用であり、前記目薬指示欄には、片眼に対する点眼の指示のみが表示されていることを特徴とする点眼薬ケースである。
【００１３】
又、上記点眼薬ケースにおいて、前記目薬表示欄は、対応する前記収納部に収納する目薬の蓋に付された色と同一色の表示を施したことを特徴とする点眼薬ケースである。
【００１４】
又、上記点眼薬ケースにおいて、前記点眼薬ケース本体の上部開口部を開閉可能な蓋体を備えたことを特徴とする点眼薬ケースである。
【００１５】
又、上記点眼薬ケースにおいて、前記蓋体に目薬を収納する補助収納部を設けたことを特徴とする点眼薬ケースである。
【考案の効果】
【００１６】
以上のような本考案によれば、眼科治療において、患者の負担とならず、使用が容易な点眼薬ケースを提供することが出来、誰でもが、額実に点眼を適時、適正に行うことが可能となった。
【図面の簡単な説明】
【００１７】
【図１】本考案一実施例点眼薬ケース本体の平面図
【図２】本考案一実施例分解斜視図
【図３】本考案一実施例蓋体底面図
【図４】図３Ａ−Ａ断面図
【図５】本考案他実施例斜視図
【考案を実施するための形態】
【００１８】
以下本考案の実施の形態を図に従って説明する。点眼薬ケース１は、上面が開口した点眼薬ケース本体２及び点眼薬ケース本体２の上方の上部開口部２１を開閉可能な蓋体３を備えて構成されている。点眼薬ケース本体２及び蓋体３の材質は特に限定されず、厚紙や合成樹脂等を用いることが出来る。
【００１９】
尚、点眼薬ケース１は、患者の点眼の要否の判断を容易とし、医師の指示通りに確実に点眼するために、図１に示すように、右目或いは左目の片眼専用（図では右目専用）とすることが好ましいが、両眼用としてもよい。点眼薬ケース１を片眼用とした場合であって、両眼に対し点眼治療を行なっている場合には、２個の点眼薬ケース１を使用することとなるが、この場合、右目用と左目用を間違わないように、夫々異なる色を付すること、「右」又は「左」の表示をすること等により区別化することが好ましい。
【００２０】
点眼薬ケース本体２は、上方に上部開口部２１を有する箱状の外枠体２０の内部に、目薬９を収納する収納部４を構成すると共に、後述する表示部５を備えた内枠体２３を備えて構成されている。
【００２１】
内枠体２３の平坦な上面２３１は外枠体２０の底面２０１から目薬９の高さ以下の位置に、底面２０１と略平行に設置されている。内枠体２３は、上面２３１の対向する側端部から下方に延びる脚部２３７で外枠体２０の底面２０１に支持させると共に、外枠体２０に嵌合させて設置している。
【００２２】
目薬９を収納する収納部４は、内枠体２３の上面２３１に目薬９を挿入可能な大きさに開けた孔２３５と、内枠体２３と外枠体２０の底面２０１との間の空間で構成し、内枠体２３の縦方向（図１において上下方向）に複数配列している。収納部４に収納された目薬９は、底面２０１上に載置され、孔２３５により横方向の動きを規制されて収納されることになる。
【００２３】
尚、収納部４の設置数は特に限定されず、治療に応じて使用する目薬９の数、即ち、収納したい複数種の目薬９の数に対応して、収納する目薬９の数と同数を設けるほか、少なくとも収納する目薬９の数以上設ければよい。又、収納部４は、複数設けずに、１つのみ設ける構成としてもよい。
【００２４】
内枠体２３の上面２３１に設けた表示部５には、収納部４に連接して、夫々の収納部４に対応して、収納部４に収納するべき目薬９を表示した目薬表示欄６が、縦方向（図１において上下方向）に配列して設けられている。目薬表示欄６における目薬９の表示方法は特に限定されないが、収納する複数の目薬９の蓋９１の色が夫々異なる場合には、目薬９の蓋９１に付された色と同一色の表示６１を施す方法を採用できる。このような構成とすることで、収納部４に収納すべき目薬を容易に把握することが出来る。尚、蓋９１と同一色の表示６１を施す方法、目薬９の名称を表示する方法、目薬９の形状を表示する方法等を単独で、或いは適宜２以上の表示方法を選択して組み合わせて表示してもよい。
【００２５】
又、目薬表示欄６又は／及び収納部４に対応させて、目薬表示欄６又は／及び収納部４に隣接させて、目薬表示欄６に表示された目薬９、即ち収納部４に収納された目薬９を、収納された複数の目薬９のうち何番目に点眼すべきかを表示した点眼順番表示欄７を設けることが好ましい。このような点眼順番表示欄７には、天眼順番の表示として、ローマ数字、漢数字、その順番の数の丸印等を表示することが出来る。このように点眼順番表示欄７を設けることで、収納された複数種の目薬９の点眼順番を間違えることなく点眼することが出来、確実に適正な点眼を行なえることとなる。尚、点眼順番表示欄は、目薬表示欄６の中や収納部４の近傍に設けることとしてもよい。
【００２６】
又、表示部５には、収納部４に収納された目薬９を点眼すべき時間を表示した点眼時間表示欄２２が、収納部４に対応して、即ち目薬表示欄６に対応して、表示部５の上部に設けられている。点眼時間表示欄２２は、複数の点眼時間区分２２１を備え、点眼時間区分２２１が横方向（図１において左右方向）に配列して構成されている。
【００２７】
尚、図１に図示した実施の形態では、点眼時間表示欄２２は、具体的には、「あさ」、「ひる」、「夕」、「ねる前」と４つの点眼時間区分２２１に分けて表示しているが、何時というように時刻で表示してもよく、又、４つ以外の点眼時間区分に分けて表示してもよい。
【００２８】
更に、表示部５には、目薬の点眼の指示、即ち要否を表示した複数の目薬指示欄２４が、点眼時間表示欄２２及び目薬表示欄６毎に、言い換えれば、点眼時間表示欄２２及び収納部４毎に対応して設けられている。即ち、複数の目薬指示欄２４は碁盤目状に配列され、縦方向（図１において上下方向）に配列して設けられた目薬表示欄６と横方向（図１において左右方向）に配列された点眼時間表示欄２２の点眼時間区分２２１に対応して設けられ、１の目薬表示欄６及び１の点眼時間区分２２１に対応して１の目薬指示欄２４が設けられている。そして、点眼時間表示欄２２が４つの点眼時間区分２２１に分けられ、収納部４が３つ、即ち目薬表示欄６が３つの場合、３×４で１２個の目薬指示欄２４が設けられることとなる。又、点眼時間表示欄２２が４つの点眼時間区分２２１に分けられ、収納部４が４つ、即ち目薬表示欄６が４つの場合、４×４で１６個の目薬指示欄２４が設けられることとなる。
【００２９】
点眼薬ケース１が、図１に示すように、右目の片眼用の場合には、目薬指示欄２４には、片眼（右目）に対する点眼の指示のみが表示され、例えば、対応する目薬９を対応する時間に点眼すべきである場合には、点眼すべき側の目が「○」の中に「右」のように表示され、対応する目薬９を対応する時間に点眼すべきでない場合には、「×」のように表示されている。尚、対応する目薬９を対応する時間に点眼すべきである場合の目薬指示欄２４の表示は、上記表示に限定されず、単に「○」、「右」、「要」等のように表示することとしてもよい。
【００３０】
又、点眼薬ケース１が、両眼用の場合には、目薬指示欄２４には、対応する目薬９を対応する時間に点眼すべきである場合には、点眼すべき側の目が「○」の中に「右」又は／及び「○」の中に「左」のように表示され、対応する目薬９を対応する時間にいずれの目にも点眼すべきでない場合には、「×」のように表示すればよい。或いは、片眼のみに点眼すべき場合、例えば右目に点眼が必要で、左目には不要な場合には、「○」の中に「右」及び「左」に重ねて「×」のように表示すればよい。このような目薬指示欄２４構成により、目薬９毎に夫々の点眼時間区分２２１で示された時間に点眼すべきか否かが一目瞭然となっている。
【００３１】
蓋体３の内側上面３１には、点眼した目薬９を一時収納する補助収納部３５を設けることとしてもよい。補助収納部３５は、蓋体３を点眼薬ケース本体２に被せた際に、外枠体２０及び収納された目薬９に接触して、蓋体３の閉まりを妨げなければ、特にその形状は限定されないが、図３及び図４に示すように、収納孔３５０を設けた上面３５１と上面３５１の対向する側端部から延びる脚部３５２により構成し、脚部３５２を内側上面３１上に固定して形成することが出来る。補助収納部３５に収納された目薬９は、蓋体３の内側上面３１上に載置され、収納孔３５０により横方向の動きを規制されて収納されることになる。
【００３２】
このように、補助収納部３５を蓋体３に設けることにより、点眼し終わった目薬９を意識的に蓋体３に一時的に収納させることにより、点眼した目薬９を収納部４に戻して、今点眼したか否かが分からなくなることを防止することが出来る。又、その点眼時間に点眼すべき総ての目薬を点眼するまで、点眼した目薬９を蓋体３内に一時収納する場合、安定して目薬９を一時収納することが出来る。
【００３３】
次に、点眼薬ケース１の使用について、右目の片眼専用の点眼薬ケース１を例にして説明する。尚、以下の説明では、患者が１日に点眼すべき目薬が目薬９７、９８、９９の３種類であり、目薬９７があさ、ひる、夕及び寝る前の４回、目薬９８があさ、ひる、夕及び寝る前の４回、目薬９９があさ及び夕の２回であって、夫々目薬９７、９８、９９の順番で点眼する場合とする。
【００３４】
図１に示すように、目薬の使用に先立って、点眼薬ケース本体２に、目薬９７、９８、９９を目薬表示欄６を参照して、収納部４に収納しておく。そして、朝の点眼の際に、蓋体３を開け、点眼順番表示欄７を見て、「１」と記載されている、１番目に点眼すべき目薬が目薬９７であることを把握し、目薬９７及び点眼時間区分２２１が「あさ」に対応する目薬指示欄２４を確認し、「○」の中に「右」と表示されているので、目薬９７を右目に点眼する。点眼が終わった目薬９７は、蓋体３に置く。蓋体３に補助収納部３５が形成されている場合には、補助収納部３５に収納する。続いて点眼順番表示欄７に示された点眼順番に従って、目薬９８及び目薬９９も夫々の点眼時間区分２２１が「あさ」に対応する目薬指示欄２４を確認し、「○」の中に「右」と表示されているので、夫々、所定の間隔をおいて右目に点眼する。点眼が終わった目薬９８、９９は、蓋体３におく。尚、目薬９７、９８、９９は所定の間隔をおいて点眼する。
【００３５】
「あさ」に点眼すべき目薬９７、９８、９９の点眼がすべて終わったのち、蓋体３に置かれた目薬９７、９８、９９を、目薬表示欄６を参照して点眼薬ケース本体２の対応する収納部４に収納し、蓋体３を閉じる。このように、点眼順番表示欄７の表示により、適正な点眼順番で点眼することが出来る。又、目薬表示欄６の表示により、どの目薬をどこの収納部４に収納すればよいかを容易に把握することが出来るので、目薬９を収納すべき収納部４を誤ることがなく、以後の点眼を適正に行なうことが確実となっている。
【００３６】
次に、昼の点眼の際に、蓋体３を開け、点眼順番表示欄７を見て、「１」と記載されている、１番目に点眼すべき目薬が目薬９７であることを把握し、目薬９７及び点眼時間区分２２１が「ひる」に対応する目薬指示欄２４を確認し、「○」の中に「右」と表示されているので、目薬９７を右目に点眼する。点眼が終わった目薬９７は、蓋体３に置く。蓋体３に補助収納部３５が形成されている場合には、補助収納部３５に収納する。続いて点眼順番表示欄７に示された点眼順番に従って、２番目に点眼すべき目薬９８も同様に点眼を行なう。そして、点眼順番表示欄７の表示によると３番目に点眼すべき目薬９９及び点眼時間区分２２１が「ひる」に対応する目薬指示欄２４を確認すると、「×」と表示されているので、点眼は行なわず、目薬９９は移動させない。点眼が終わり、蓋体３に置かれた目薬９７、９８を点眼薬ケース本体２の対応する収納部４に目薬表示欄６を参照して収納し、蓋体３を閉じる。
【００３７】
次に、夕方の点眼の際に、蓋体３を開け、点眼順番表示欄７を見て、「１」と記載されている、１番目に点眼すべき目薬が目薬９７であることを把握し、目薬９７及び点眼時間区分２２１が「夕」に対応する目薬指示欄２４を確認し、「○」の中に「右」と表示されているので、目薬９７を右目に点眼する。点眼が終わった目薬９７は、蓋体３に置く。蓋体３に補助収納部３５が形成されている場合には、補助収納部３５に収納する。続いて点眼順番表示欄７に示された点眼順番に従って、目薬９８及び目薬９９も夫々の点眼時間区分２２１が「夕」に対応する目薬指示欄２４を確認し、「○」の中に「右」と表示されているので、夫々、所定の間隔をおいて右目に点眼する。点眼が終わった目薬９８、９９は、蓋体３におく。「夕」に点眼すべき目薬９７、９８、９９の点眼がすべて終わったのち、蓋体３に置かれた目薬９７、９８、９９を点眼薬ケース本体２の対応する収納部４に目薬表示欄６を参照して収納し、蓋体３を閉じる。
【００３８】
次に、寝る前の点眼の際に、蓋体３を開け、点眼順番表示欄７を見て、「１」と記載されている、１番目に点眼すべき目薬が目薬９７であることを把握し、目薬９７及び点眼時間区分２２１が「ねる前」に対応する目薬指示欄２４を確認し、「○」の中に「右」と表示されているので、目薬９７を右目に点眼する。点眼が終わった目薬９７は、蓋体３に置く。蓋体３に補助収納部３５が形成されている場合には、補助収納部３５に収納する。続いて点眼順番表示欄７に示された点眼順番に従って、２番目に点眼すべき目薬９８も同様に点眼を行なう。そして、点眼順番表示欄７の表示によると３番目に点眼すべき目薬９９及び点眼時間区分２２１が「ねる前」に対応する目薬指示欄２４を確認すると、「×」と表示されているので、点眼は行なわず、目薬９９は移動させない。点眼が終わり、蓋体３に置かれた目薬９７、９８を点眼薬ケース本体２の対応する収納部４に目薬表示欄６を参照して収納し、蓋体３を閉じる。  
【００３９】
以上のような１日の点眼を繰り返し行なう。尚、患者は手元にタイマー等を用意し、点眼の間隔を正確に測って点眼を行なうことが必要である。
【００４０】
このような本考案の点眼薬ケース１の使用により、複数の目薬を適時、適正に点眼することが確実に可能となる。又、本考案の点眼薬ケース１は、患者の負担とならず、使用が容易であるので、誰でもが使いこなせるものである。
【００４１】
尚、本考案の他の実施形態として、図示はしないが、収納部４を横方向に配列すると共に、表示部５の目薬表示欄６を横方向に配列し、点眼時間表示欄２２の点眼時間区分２２１を縦方向に配列させて構成してもよい。
【００４２】
又、点眼薬ケース１は、図２に示すように、蓋体３と点眼薬ケース本体２を別体で形成し、蓋体３は点眼薬ケース本体２から着脱自在としてもよいが、図５に示すように、蓋体３をヒンジ８８等で点眼薬ケース本体２に回動自在に接続して設けてもよい。又、図示はしないが、点眼薬ケース本体２と蓋体３との閉状態を維持するための係止部材を設けることとしてもよい。更に、点眼薬ケース１は、蓋体３を備えずに構成してもよい。
又、図示はしないが、内枠体２３の上面２３１から延設する脚部を短く形成し、脚部を外枠体２０の内側面に固定して、内枠体２３を設置してもよい。更に、内枠体は平面状に形成し、別体のアングルを用いて外枠体２０に固定してもよい。
【００４３】
又、図示はしないが、内枠体２３には表示部５を設けずに、収納部４のみを設け、表示部５は外枠体２０の底面２０１に設ける構成としてもよい。また、表示部５は、内枠体２３又は外枠体２０の底面２０１上に直接表示してもよいが、片面に粘着層を有するシール状のシートに表示して、内枠体２３又は外枠体２０の底面２０１上に貼着してもよい。このような構成とすることで、治療過程で点眼パターンが異なることになった場合に点眼薬ケースの再利用が可能となる利点がある。
【００４４】
更に、補助収納部の他の実施形態として、図５に示すように、凹部３５７を設けた板体３５６で補助収納部３５９を構成し、蓋体３の内側上面３１に板体３５６を固定し、目薬９を凹部３５７に横向きに倒して載置する形態も採用できる。又、図示はしないが、補助収納部には、収納すべき目薬９を表示するため、上記目薬表示欄６と同様に、目薬９の蓋９１の色等を表示することとしてもよい。
【００４５】
尚、本考案は上記の実施の形態に限定されることなく、又、上記の実施形態の構成を取捨選択して、本考案の点眼薬ケースを構成することが可能である。
【符号の説明】
【００４６】
１      点眼薬ケース
２      点眼薬ケース本体
２０    外枠体
２１    上部開口部
２２    点眼時間表示欄
２２１  点眼時間区分
２３    内枠体
２４    目薬指示欄
３      蓋体
３５    補助収納部
４      収納部
５      表示部
６      目薬表示欄
７      点眼順番表示欄
９      目薬
９１    目薬の蓋
【図１】
0003170772.tif 000003
【図２】
0003170772.tif 000004
【図３】
0003170772.tif 000005
【図４】
0003170772.tif 000006
【図５】
0003170772.tif 000007